(57)【要約】 【課題】  上記構成により、ファイバアレイの実装時にフェルールの先端位置のずれを防止し、安定してファイバアレイを把持するファイバアレイ把持構造を提供する。【解決手段】  複数の光ファイバを一括被覆したファイバリボンの先端にフェルールを接続したファイバアレイを把持するファイバアレイ把持器具は、前記ファイバアレイの前記フェルールを吸着把持するフェルール把持部と、前記ファイバリボンを上ブロックと下ブロックで挟持するファイバ把持部と、前記フェルール把持部と前記ファイバ把持部の相対位置を固定する固定部と、を有し、前記ファイバ把持部は、前記上ブロックと前記下ブロックの間に、前記ファイバリボンと前記上ブロック又は前記ファイバリボンと前記下ブロックを、前記下ブロック又は前記上ブロックに対して相対的に回転させ、又は前記光ファイバの配列方向に並進させる傾斜部を有する。【選択図】図５
2015075651.tif 000002
【特許請求の範囲】
【請求項１】
複数の光ファイバを一括被覆したファイバリボンの先端にフェルールを接続したファイバアレイを把持するファイバアレイ把持器具において、
前記ファイバアレイの前記フェルールを吸着把持するフェルール把持部と、
前記ファイバリボンを上ブロックと下ブロックで挟持するファイバ把持部と、
前記フェルール把持部と前記ファイバ把持部の相対位置を固定する固定部と、
を有し、
前記ファイバ把持部は、前記上ブロックと前記下ブロックの間に、前記ファイバリボンと前記上ブロック又は前記ファイバリボンと前記下ブロックを、前記下ブロック又は前記上ブロックに対して相対的に回転させ、又は前記光ファイバの配列方向に並進させる傾斜部を有することを特徴とするファイバアレイ把持器具。
【請求項２】
前記上ブロックと前記下ブロックのいずれか一方は、他方と接する面の対角上に一対の前記傾斜部を有し、前記一対の前記傾斜部は、前記ファイバ把持部の中心を通りかつ前記ファイバリボンを挟持する面と直交する軸に対して回転対称な傾斜面を有することを特徴とする請求項１に記載のファイバアレイ把持器具。
【請求項３】
前記上ブロックと前記下ブロックのいずれか一方は、他方と接する面に、前記光ファイバの光軸と平行な側面のひとつに沿って前記傾斜部を有し、前記傾斜部は、前記ファイバリボンを挟持する面に向かって低くなる傾斜面を有することを特徴とする請求項１に記載のファイバアレイ把持器具。
【請求項４】
前記フェルール把持部は、前記フェルールを案内する一対のガイドを有し、前記一対のガイドの少なくとも一方の側壁は、前記光ファイバの光軸に対して傾斜していることを特徴とする請求項１〜３のいずれか１項に記載のファイバアレイ把持器具。
【請求項５】
複数の光ファイバを一括被覆したファイバリボンの先端にフェルールを接続したファイバアレイを把持するファイバアレイ把持器具と、
前記ファイバアレイ把持器具に接続されて前記ファイバアレイを所定の位置へ移動する駆動部、
前記ファイバアレイ把持器具に接続される吸引部と、
を有し、
前記ファイバアレイ把持器具は、前記フェルールを吸着把持するフェルール把持部と、前記ファイバリボンを上ブロックと下ブロックで挟持するファイバ把持部と、前記フェルール把持部と前記ファイバ把持部の相対位置を固定する固定部とを有し、
前記ファイバ把持部は、前記上ブロックと前記下ブロックの間に、前記ファイバリボンと前記上ブロック又は前記ファイバリボンと前記下ブロックを、前記下ブロック又は前記上ブロックに対して相対的に回転させ、又は前記光ファイバの配列方向に並進させる傾斜部を有することを特徴とするファイバアレイ実装装置。
【請求項６】
前記ファイバ把持部の前記上ブロックは、前記ファイバリボンが搭載された前記下ブロックを吸着保持することによって、前記上ブロックと前記下ブロックで前記ファイバリボンを挟持することを特徴とする請求項５に記載のファイバアレイ実装装置。
【請求項７】
前記ファイバアレイが前記フェルール把持部と前記ファイバ把持部により吸着保持される間、前記傾斜部により前記ファイバ把持部に生じる回転力又は前記光ファイバの配列方向に生じる並進力によって、前記フェルールの先端は前記フェルール把持部内の一定位置に固定されることを特徴とする請求項５又は６に記載のファイバアレイ実装装置。
【発明の詳細な説明】
【技術分野】
【０００１】
本発明は、ファイバアレイ把持器具とこれを用いたファイバアレイ実装装置に関する。
【背景技術】
【０００２】
ファイバアレイの一般的な構成として、一定ピッチでＶ溝が形成されたフェルールに複数本の光ファイバを並べて固定し、フェルールをファイバアレイの一端として用いる。ファイバアレイ同士、あるいはファイバアレイと光導波路を接合する場合、一般的にアームもしくは真空吸着によりフェルールを把持して相手側の伝送路に対して位置調整を行い、接着剤により接合する。
【０００３】
しかし、近年の光モジュールの小型化にともなってフェルールの小型化、薄型化が進んでおり、従来のアーム把持や吸着把持では以下の問題が生じる。アーム把持の場合、フェルールが小さすぎて掴めない、あるいは両側面からの把持力でフェルールがたわむ。吸着把持の場合、フェルールから延びるファイバリボン（ファイバテープ）のたわみやねじれによって、吸着されているフェルールの位置が安定しない。フェルール先端の動きを規制するために吸着部の両脇にガイドを設ける方法もあるが、ガイドのマージン分のずれは発生する。
【０００４】
ファイバアレイの位置合わせ中や接合中にフェルールの先端位置が動くと、光軸ずれが起こり、光損失が増大する。光損失を軽減するために、ファイバアレイの実装時にフェルールの先端位置を固定できる構成が望まれる。
【先行技術文献】
【特許文献】
【０００５】
【特許文献１】特開２０１２−１２８１２５号公報
【特許文献２】特開２００４−３０２１８１号公報
【発明の概要】
【発明が解決しようとする課題】
【０００６】
ファイバアレイの実装時にフェルールの先端位置のずれを防止し、安定してファイバアレイを把持することのできる構成を提供する。
【課題を解決するための手段】
【０００７】
ひとつの態様では、複数の光ファイバを一括被覆したファイバリボンの先端にフェルールを接続したファイバアレイを把持するファイバアレイ把持器具を提供する。このファイバアレイ把持器具は、
前記ファイバアレイの前記フェルールを吸着把持するフェルール把持部と、
前記ファイバリボンを上ブロックと下ブロックで挟持するファイバ把持部と、
前記フェルール把持部と前記ファイバ把持部の相対位置を固定する固定部と、
を有し、
前記ファイバ把持部は、前記上ブロックと前記下ブロックの間に、前記ファイバリボンと前記上ブロック又は前記ファイバリボンと前記下ブロックを、前記下ブロック又は前記上ブロックに対して相対的に回転させ、又は前記光ファイバの配列方向に並進させる傾斜部を有する。
【発明の効果】
【０００８】
上記構成により、ファイバアレイの実装時にフェルールの先端位置のずれを防止し、安定してファイバアレイを把持することができる。
【図面の簡単な説明】
【０００９】
【図１】実施形態のファイバアレイ把持器具と、これを用いたファイバアレイ実装装置の概略図である。
【図２】フェルール把持部の構成例を示す図である。
【図３】フェルール把持部の別の構成例を示す図である。
【図４】ファイバ把持部の構成例を示す図である。
【図５】ファイバアレイ把持中の状態を示す図である。
【図６】台座上のファイバアレイを把持する概略図である。
【図７】台座の構成を示す図である。
【図８】台座とファイバアレイ把持器具の位置関係を示す図である。
【図９】ファイバアレイ実装装置の動作工程を示す図である。
【図１０】ファイバ把持部の別の構成例を示す図である。
【図１１】図１０のファイバ把持部を用いたときのファイバアレイ把持中の状態を示す図である。
【発明を実施するための形態】
【００１０】
図１は、実施形態のファイバアレイ把持器具１０と、これを用いたファイバアレイ実装装置１の概略図である。ファイバアレイ１５は、複数の光ファイバ１４を一括被覆したファイバリボン１３と、ファイバリボン１３の先端で個々の光ファイバ１４を一定のピッチで保持するフェルール１２を有する。
【００１１】
ファイバアレイ把持器具１０は、フェルール把持部２０と、ファイバ把持部３０と、フェルール把持部２０とファイバ把持部３０の相対位置を固定する固定部２５を有する。フェルール把持部２０はフェルール１２を吸着保持する。ファイバ把持部３０は上ブロック３１と下ブロック３２でファイバリボン１３を挟持する。後述するように、上ブロック３１に対する下ブロック３２の相対的な動きは、一定範囲内で許容されている。ファイバアレイ１５をフェルール１２とファイバリボン１３の２箇所でその相対位置関係を保ったまま把持し、かつ下ブロック３２の上ブロック３１に対する動きを一定範囲内で許容することで、フェルール１２の先端をフェルール把持部２０の定位置に固定することができる。これについては後述する。
【００１２】
ファイバアレイ実装装置１は、ファイバアレイ把持器具１０と、駆動装置２と、吸引ポンプ３を含む。駆動装置２はファイバアレイ把持器具１０に接続され、ファイバアレイ１５を所望の実装位置（接合位置）へと搬送する。吸引ポンプ３は、フェルール把持部２０とファイバ把持部３０に接続される。図１では、フェルール把持部２０を吸引する吸引ポンプ３０ａとファイバ把持部３０を吸引する吸引ポンプ３０ｂが個別に描かれているが、ひとつの吸引ポンプとしてもよい。
【００１３】
ファイバアレイ１５を把持する際に台座４を用いてもよい。台座４は、ファイバアレイ１５の実装に先立って、ファイバ把持部３０の下ブロック３２とファイバアレイ１５を搭載する。実装時に、フェルール把持部２０で台座４に置かれたファイバアレイ１５のフェルール１２を吸着保持し、ファイバ把持部３０の上ブロック３１が下ブロック３２を吸着する。これにより、上ブロック３１と下ブロック３２の間にファイバリボン１３挟持される。フェルール把持部２０とファイバ把持部３０の位置関係は固定部２５で固定されているので、ファイバアレイ１５を安定して搬送することができる。
【００１４】
図２は、フェルール把持部２０の一例としてフェルール把持部２０Ａを示す。図２（Ａ）は斜視図、図２（Ｂ）はフェルール１２の先端側から見た正面図である。フェルール把持部２０Ａは、把持プレート２１と、把持プレート２１に形成された吸引孔２３と、吸着時にフェルール１２の両側面を案内する一対のガイド２２Ａを有する。一対のガイド２２Ａは、光ファイバ１４の光軸に沿って互いに平行に向い合って位置する。一対のガイド２２Ａの間の距離は、フェルール１２の幅（光ファイバ１４の配列方向に沿ったサイズ）よりも若干広い。
【００１５】
フェルール１２は、ファイバリボン１３の先端部で露出する個々の光ファイバ１４を溝内に保持する基板１２ａと、光ファイバ１４を保持する押さえ部１２ｂを有する。フェルール把持部２０Ａでフェルール１２を吸着把持したときに、ガイド２２Ａとフェルール１２との間にマージン相当の間隙が生じ得る（図２（Ｂ）参照）。従来の吸着把持では、この間隙がフェルール１２の位置ずれの要因となり得る。これに対して実施形態では、フェルール把持部２０とファイバ把持部３０で協働してファイバアレイ１５を把持し、かつファイバ把持部３０の構成を工夫することで、実装時にフェルール１２の先端位置を所定の箇所に安定保持する。この構成については後述する。
【００１６】
図３は、フェルール把持部２０の別の例としてフェルール把持部２０Ｂを示す。図３（Ａ）は斜視図、図３（Ｂ）は上面図である。フェルール把持部２０Ｂは、把持プレート２１の把持面（フェルール１２と対向する面）の両側にガイド２２Ｂを有する。ガイド２２Ｂのいずれか一方又は両方は、その側壁が光ファイバ１４の光軸に対して所定の角度で傾斜する傾斜２７を有する。フェルール１２が吸着把持されたときに、何らかの要因でフェルール１２の位置がずれる場合でも、フェルール１２の押え部１２ｂのコーナーがガイド２２の傾斜２７に突き当たってフェルール１２の位置が固定される（図３（Ｂ）参照）。図３の構成は、図２の構成よりもさらにガイド２２のマージンによる位置ずれを低減することができる。
【００１７】
図４は、ファイバ把持部３０の一例として、ファイバ把持部３０Ａを示す。図４（Ａ）は斜視図、図４（Ｂ）は正面図（中央）、左側面図、及び右側面図を含む三面図である。ファイバ把持部３０Ａの上ブロック３１には吸引孔３４が形成されている。下ブロック３２Ａは、ファイバリボン１３を受け取る溝３７を有する。ファイバリボン１３を安定保持するために、溝３７内に高摩擦係数部材３６を配置してもよい。高摩擦係数部材３６のファイバリボン１３に対する摩擦係数は、上ブロック３１のファイバリボン１３に対する摩擦係数よりも大きい。高摩擦係数部材３６は、たとえばウレタンゴムなどの弾性部材であってもよい。
【００１８】
下ブロック３２Ａは、傾斜部３３、３５を対角上に有する。傾斜部３３，３５は、この例では傾斜面３３ａ，３５ａを有する突起３３、３５として形成されている。傾斜面３３ａと傾斜面３５ａは、下ブロック３２の中心Ｃを回転中心とする回転対称の形状となっている。対角上に傾斜部３３、３５を設けることで、ファイバリボン１３が下ブロック３２Ａとともに光ファイバ１４の光軸方向に並進することを防止する。さらに、傾斜部３３、３５の各々に中心軸Ｃに対して回転対称な傾斜面３３ａ、３５ａを設けることで、上ブロック３１のエッジが傾斜面３３ａ、３５ａに接触したときに回転モーメントが発生し、下ブロック３２Ｂが矢印Ｒの方向に回転する。この回転力が、フェルール１２の先端位置をフェルール把持部２０の特定位置へと押圧固定する。
【００１９】
図５は、ファイバアレイ把持器具１０でファイバアレイ１５を把持したときのファイバアレイ１５の状態を説明する図である。下ブロック３２Ａの傾斜部３３、３５の傾斜面３３ａ、３５ａが上ブロック３１のエッジに接触することで回転モーメントが発生して、下ブロック３２が矢印Ｒの方向に回転する。ファイバリボン１３は高摩擦係数部材３６上に保持されているので、下ブロック３２Ａの回転と同時にファイバリボン１３も回動する。その結果、矢印Ｒ1、Ｒ2で示すように、下ブロック３２Ａの吸着中心Ｃを中心として、ファイバアレイ１５に回転モーメントが発生する。この回転モーメントにより、フェルール１２はＲ2方向に移動し、フェルール把持部２０の一方のガイド２２の側面に押し当てられる。したがって、搬送中にファイバリボン１３にたわみ等が生じても、フェルール１２を一定位置に固定でき、安定した位置制御が可能となる。
【００２０】
図４及び図５では、傾斜部３３と３５は光ファイバ１４の光軸に沿って傾斜している。傾斜部３３の傾斜面３３ａはフェルール１２（図１参照）に向かって高くなり、傾斜部３５の傾斜面３５ａはフェルール１２に向かって低くなっている。傾斜部３３、３５の形状はこの例に限定されず、下ブロック３２Ａの中心Ｃ対して回転対称となる任意の形状をとることができる。たとえば、対角上にある傾斜部３３の傾斜面３３ａと傾斜部３５の傾斜面３５ａがそれぞれファイバリボン１３に向かって低くなる（すなわち下ブロック３２Ａの外側に向かって高くなる）傾斜であってもよい。また、傾斜面３３ａ、３５ａが互いに光軸方向からファイバリボン１３の方に向かってわずかにスキューしていてもよい。
【００２１】
図６は、ファイバアレイ１５の実装に先立って、台座４に置かれたファイバアレイ１５を把持する様子を示す。台座４の所定位置に下ブロック３２が置かれ、下ブロック３２が配置された台座４に、ファイバアレイ１５が搭載される。固定部２５で連結されたフェルール把持部２０と上ブロック３１が台座４上のファイバアレイ１５に向かって駆動され、図１のようにファイバアレイ１５ごと下ブロック３２を吸着把持する。
【００２２】
図７は、台座４の構成例である。台座４には、下ブロック搭載溝５とファイバアレイ用溝６が形成されている。ファイバアレイ用溝６はフェルール１２とファイバリボン１３の一部を収容する形状を有する。図７（Ｂ）に示すように、下ブロック搭載溝５は、下ブロック搭載溝５に下ブロック３２が搭載されたときに下ブロック３２の溝３７の底面が、ファイバアレイ用溝６の底面とアラインする深さに形成されている。これにより、ファイバアレイ１６を台座４上に水平に設置することができる。
【００２３】
図８は、台座４とファイバアレイ把持器具１０の位置関係を示す図である。ファイバアレイ把持器具１０の固定部２５の底面と、上ブロック３１の底面は同一面内にある。台座４上のファイバアレイ１５を把持する際に、フェルール１２と下ブロック３２の間に位置する部分のファイバリボン１３を固定部２５で均等に押さえることができ、ファイバリボン１３のねじれ等を防止できる。
【００２４】
図９は、図１の実装装置１の動作手順を示す。
（１）台座４の下ブロック搭載溝５に、ファイバアレイ把持器具１０の下ブロック３２を設置する（Ｓ１０１）。
（２）台座４上及び下ブロック３２の溝３７内にファイバアレイ１５を設置する（Ｓ１０２）。上述のように、台座４のファイバアレイ用溝６の底面と下ブロック３２の溝３７の底面は同じ高さ位置にあり、ファイバアレイ１５は台座４に水平に設置される。
（３）駆動装置２を制御し、固定部２５で連結されたフェルール把持部２０とファイバ把持部３０の上ブロック３１をファイバアレイ１５の上方に移動する（Ｓ１０３）。このときフェルール把持部２０と上ブロック３１は、フェルール１２と下ブロック３２を吸着できる水平位置にある。
（４）フェルール把持部２０、固定部２５及び上ブロック３１をファイバアレイ１５に接近させる（Ｓ１０４）。上ブロック３１の底面と固定部３２の底面は同一面内にあるので、台座４上のファイバリボン１３にねじれ等がある場合でも、上ブロックと固定部２５でファイバリボン１３を台座４に対して押さえることができる。
（５）吸引ポンプ３を用いて、フェルール把持部２０の吸引孔２３よりフェルール１２を吸着し、ファイバ把持部３０の両脇の吸引孔３４より下ブロック３２を吸着する（Ｓ１０５）。吸着の順序は、フェルール１２と下ブロック３２で同時に吸着してもよいし、先にフェルール１２を吸着し、その後に下ブロック３２を吸着してもよい。フェルール把持部２０により、フェルール１２をフェルール把持部２０のガイド２２の内側に吸着する。ファイバ把持部３０により下ブロック３２を吸着するとともに、上ブロック３１と下ブロック３２でファイバリボン１３を挟み込む。これによりファイバアレイ１５全体が吸着把持される。図４及び図５を参照して説明したように、吸着時に下ブロック３２に形成されている傾斜部３３、３５の傾斜面３３ａ、３５ａが上ブロック３１の端面に接触することで回転モーメントが発生し、下ブロック３２が回転する。下ブロックの溝内に設置されたファイバアレイも回転し、下ブロック３２の吸着位置を中心とした回転モーメントがファイバアレイ１５に発生する。この回転モーメントにより、フェルール１２フェルール把持部２０のいずれか一方の側のガイド２２の側面に押し当てられ固定される。
（６）ファイバアレイ１５を把持したファイバアレイ把持器具１０を駆動装置により移動し、接合対象との光損失が最小となる位置に調整する（Ｓ１０６）。接合対象は、光ファイバを保持するフェルールでもよいし、シリコンフォトニクスにより形成された光導波路チップでもよい。
（７）位置調整後、把持状態を維持したまま接着剤を塗布し、接合を行う（Ｓ１０７）。接着剤には、例えばＵＶ硬化接着剤を使用し、接着剤の硬化が必要強度に達するまでファイバアレイ１５を把持する。
（８）硬化完了後、吸引ポンプ３による吸引を停止し、ファイバアレイ１５を吸着状態から開放し、ファイバアレイ把持器具１０のフェルール把持部２０、固定部２５及び上ブロック３１を駆動装置により移動し、退避させる（Ｓ１０８）。
【００２５】
上述した工程により、ファイバアレイ１５の高精度かつ安定した接合が可能になる。
【００２６】
図１０は、ファイバ把持部３０の変形例としてファイバ把持部３０Ｂを示す。図１０（Ａ）は斜視図、図１０（Ｂ）はファイバリボン１３側から見た正面図である。ファイバ把持部３０Ｂが用いられるファイバアレイ把持器具１０の全体構造は図１と同様である。ファイバ把持部３０Ｂは、図２のフェルール把持部２０Ａと、図３のフェルール把持部２０Ｂのいずれとも組み合わせることができる。
【００２７】
ファイバ把持部３０Ｂの下ブロック３２Ｂは、光ファイバ１４の光軸に沿った側面のいずれか一方の側に突起３９を有する。突起３９は、ファイバリボン１３に向かって低くなる傾斜面３９ａを有する。突起３９は図１０のように、下ブロック３２Ｂの側面全体にわたって形成されていてもよいし、側面の一部に形成されていてもよい。また、突起３９を分割して、傾斜面３９ａを有する複数の突起３９をいずれかの側面に沿って配置してもよい。
【００２８】
吸着時に、上ブロック３１のエッジが下ブロック３２Ｂの傾斜面３９ａに接触することで、下ブロック３１は矢印Ｔで示すように、光ファイバ１４の配列方向に並進移動する。ファイバリボン１３は、下ブロック３２Ｂの溝３７内で高摩擦係数部材３６上に保持されているので、下ブロック３２Ｂの並進とともにファイバリボン１３も矢印Ｔの方向に移動する。
【００２９】
図１１は、図１０のファイバ把持部３０Ｂを用いたときのファイバアレイ１５の把持状態を示す。下ブロック３２Ｂとファイバリボン１３が矢印Ｔの方向に並進したことによりファイバアレイ１５全体に同じ方向の力が加わる。その結果、先端のフェルール１２も同じ方向に移動し、フェルール１２がフェルール把持部２０のガイド２２のいずれか一方の側面に押し当てられる。これにより、フェルール１２の位置が固定される。
【００３０】
図１０のファイバ把持部３０Ｂを用いたときの実装装置１の基本的な動作手順は図９と同様である。Ｓ１０５の下ブロック吸着工程で、下ブロック３２Ｂの移動方向とフェルール１２に対する押圧方向が変わるだけであり、フェルール１２が一定位置に固定される効果は同様である。
【００３１】
実施形態の構成により、ファイバアレイ１５の把持、位置調整時に、フェルール１２の先端位置を一定位置に固定することができ、高精度で安定したファイバアレイの実装が可能となる。また、フェルール把持部２０とファイバ把持部３０でファイバアレイを把持するため、ファイバ把持部３０よりも基部側のたわみの影響を軽減できる。
【００３２】
上述した実施形態は、例示であって種々の変形が可能である。実施形態では、傾斜部３３、３５、３９を下ブロック３２に形成したが、一方のブロックとファイバリボン１３とが他方のブロックに対して相対的に回転あるいはファイバ配列方向に並進できればよいので、傾斜を上ブロック３１に形成してもよい。また、必ずしも傾斜部３３，３５，３９を上ブロック３１又は下ブロック３２と一体に形成する必要はなく、上ブロック３１と下ブロック３２の間に配置される別個の傾斜部としてもよい。この場合は、傾斜部を上ブロック３１と下ブロック３２のいずれかに固定する。
【００３３】
以下の説明に対し、以下の付記を提示する。
（付記１）
複数の光ファイバを一括被覆したファイバリボンの先端にフェルールを接続したファイバアレイを把持するファイバアレイ把持器具において、
前記ファイバアレイの前記フェルールを吸着把持するフェルール把持部と、
前記ファイバリボンを上ブロックと下ブロックで挟持するファイバ把持部と、
前記フェルール把持部と前記ファイバ把持部の相対位置を固定する固定部と、
を有し、
前記ファイバ把持部は、前記上ブロックと前記下ブロックの間に、前記ファイバリボンと前記上ブロック又は前記ファイバリボンと前記下ブロックを、前記下ブロック又は前記上ブロックに対して相対的に回転させ、又は前記光ファイバの配列方向に並進させる傾斜部を有することを特徴とするファイバ器具。
（付記２）
前記上ブロックと前記下ブロックのいずれか一方は、他方と接する面の対角上に一対の前記傾斜部を有し、前記一対の前記傾斜部は、前記ファイバ把持部の中心を通りかつ前記ファイバリボンを挟持する面と直交する軸に対して回転対称な傾斜面を有することを特徴とする付記１に記載のファイバアレイ把持器具。
（付記３）
前記上ブロックと前記下ブロックのいずれか一方は、他方と接する面に、前記光ファイバの光軸と平行な側面のひとつに沿って前記傾斜部を有し、前記傾斜部は、前記ファイバリボンを挟持する面に向かって低くなる傾斜面を有することを特徴とする付記１に記載のファイバアレイ把持器具。
（付記４）
前記フェルール把持部は、前記フェルールを案内する一対のガイドを有し、前記一対のガイドの少なくとも一方の側壁は、前記光ファイバの光軸に対して傾斜していることを特徴とする付記１〜３のいずれかに記載のファイバアレイ把持器具。
（付記５）
前記固定部の底面は、前記上ブロックの底面と同一面内にあることを特徴とする付記１〜４のいずれかに記載のファイバアレイ把持器具。
（付記６）
前記下ブロックは前記ファイバリボンを受け取る溝を有することを特徴とする付記１〜５のいずれかに記載のファイバアレイ把持器具。
（付記７）
前記溝内に高摩擦係数部材を有し、前記高い摩擦係数部材の前記ファイバリボンに対する摩擦係数は、前記上ブロックの前記ファイバリボンに対する摩擦係数よりも大きいことを特徴とする付記６に記載のファイバアレイ把持器具。
（付記８）
複数の光ファイバを一括被覆したファイバリボンの先端にフェルールを接続したファイバアレイを把持するファイバアレイ把持器具と、
前記ファイバアレイ把持器具に接続されて前記ファイバアレイを所定の位置へ移動する駆動部と、
前記ファイバアレイ把持器具に接続される吸引ポンプと、
を有し、
前記ファイバアレイ把持器具は、前記フェルールを吸着把持するフェルール把持部と、前記ファイバリボンを上ブロックと下ブロックで挟持するファイバ把持部と、前記フェルール把持部と前記ファイバ把持部の相対位置を固定する固定部とを有し、
前記ファイバ把持部は、前記上ブロックと前記下ブロックの間に、前記ファイバリボンと前記上ブロック又は前記ファイバリボンと前記下ブロックを、前記下ブロック又は前記上ブロックに対して相対的に回転させ、又は前記光ファイバの配列方向に並進させる傾斜部を有することを特徴とするファイバアレイ実装装置。
（付記９）
前記ファイバ把持部の前記上ブロックは、前記ファイバリボンが搭載された前記下ブロックを吸着保持することによって、前記上ブロックと前記下ブロックで前記ファイバリボンを挟持することを特徴とする付記８に記載のファイバアレイ実装装置。
（付記１０）
前記ファイバアレイが前記フェルール把持部と前記ファイバ把持部により吸着保持される間、前記傾斜部により前記ファイバ把持部に生じる回転力又は前記光ファイバの配列方向に生じる並進力によって、前記フェルールの先端は前記フェルール把持部内の一定位置に固定されることを特徴とする付記９又は１０に記載のファイバアレイ実装装置。
（付記１１）
前記ファイバアレイをあらかじめ搭載する台座、
をさらに有し、
前記台座は前記下ブロックを搭載する下ブロック搭載溝を有し、前記下ブロック搭載溝の深さは、前記下ブロック上及び前記台座上に前記ファイバアレイが搭載されたときに前記ファイバアレイが水平となる深さであることを特徴とする付記８〜１０に記載の実装装置。
【符号の説明】
【００３４】
１  ファイバアレイ実装装置
２  駆動装置
３  吸引ポンプ
４  台座
５  下ブロック搭載溝
６  ファイバアレイ用溝
１０  ファイバアレイ把持器具
１２  フェルール
１３  ファイバリボン
１４  光ファイバ
２０、２０Ａ、２０Ｂ  フェルール把持部
２２、２２Ａ、２２Ｂ  ガイド
２７  ガイド傾斜
３０、３０Ａ、３０Ｂ  ファイバ把持部
３１  上ブロック
３２、３２Ａ、３２Ｂ  下ブロック
３３、３５、３９  突起
３３ａ、３５ａ、３９ａ  傾斜面（傾斜部）
３７  下ブロックのファイバリボン用溝
【図１】
2015075651.tif 000003
【図２】
2015075651.tif 000004
【図３】
2015075651.tif 000005
【図４】
2015075651.tif 000006
【図５】
2015075651.tif 000007
【図６】
2015075651.tif 000008
【図７】
2015075651.tif 000009
【図８】
2015075651.tif 000010
【図９】
2015075651.tif 000011
【図１０】
2015075651.tif 000012
【図１１】
2015075651.tif 000013